(57)【要約】【課題】墓全体の広さを大きくすることなく、より多くの方の戒名などを記すことが可能な墓誌を備えた墓を提供する。【解決手段】墓１は、平面視矩形状且つ枠状に配置された巻石１１と、墓石１２と、巻石１１上に設置された墓誌２０とを備える。墓誌２０は、巻石１１上に載置される下部支持部材２１と、下部支持部材２１から間隔を隔てた上方位置に下部支持部材２１と対向して配置される上部支持部材２２と、巻石１１上に立設され、上部支持部材２２の両端部を支持する支柱２３と、短冊状に形成され、下部支持部材２１及び上部支持部材２２との間に着脱自在に装着される複数の戒名プレート２４とからなる。下部支持部材２１及び上部支持部材２２の各対向面には、その長手方向と平行且つ各戒名プレート２４の上端部及び下端部を差し込み可能な溝がそれぞれ形成される。各戒名プレート２４は、横方向に一列に整列した状態で且つ起立状態で隙間なく配置される。【選択図】図１
2008190140.tif 000002
【特許請求の範囲】
【請求項１】
平面視矩形状をした領域内の周縁部に枠状に配置された巻石と、前記領域の内部に配置された墓石と、前記領域の内部に配置され、少なくとも戒名が記される墓誌とからなる墓であって、
前記墓誌は、
前記巻石の四辺の内、前記墓石の正面側を除いた一辺に少なくとも対応してこれに沿うように設けられ、前記巻石の、この一辺に相当する部分上に載置される下部支持部材と、
前記下部支持部材から間隔を隔てた上方位置に、この下部支持部材と対向するように且つ前記一辺に沿うように配置される上部支持部材と、
前記一辺に沿った方向に間隔を隔てて前記巻石又は下部支持部材上に立設され、前記上部支持部材の前記一辺に沿った方向の両端部を支持する支柱と、
前記下部支持部材と上部支持部材との間に着脱自在に装着され、少なくとも戒名が記される、平板状をした戒名プレートとを備えてなり、
前記下部支持部材は、前記上部支持部材との対向面に前記戒名プレートの下端部と係合可能な保持部を、前記上部支持部材は、前記下部支持部材との対向面に前記戒名プレートの上端部と係合可能な保持部をそれぞれ備え、
前記各保持部は、前記戒名プレートとの係合関係によりこの戒名プレートを前記一辺と平行に保持するように構成されてなることを特徴とする墓。
【請求項２】
前記墓誌は、複数の前記戒名プレートを備え、
前記下部支持部材及び上部支持部材の各保持部は、前記複数の戒名プレートが前記一辺に沿って一列で整列可能に前記戒名プレートを保持するように構成されてなることを特徴とする請求項１記載の墓。
【請求項３】
前記戒名プレートは、短冊状に形成されてなることを特徴とする請求項２記載の墓。
【請求項４】
前記上部支持部材の保持部は、上下に貫通し且つ前記一辺に沿って形成された、前記戒名プレートの上端部を差し込み可能なスリット穴から構成され、
前記下部支持部材の保持部は、前記一辺に沿って形成された、前記戒名プレートの下端部を差し込み可能な溝から構成されてなることを特徴とする請求項１乃至３記載のいずれかの墓。
【請求項５】
前記上部支持部材の保持部は、前記一辺に沿って形成された、前記戒名プレートの上端部を差し込み可能な溝から構成され、
前記下部支持部材の保持部は、前記一辺に沿って形成された、前記戒名プレートの下端部を差し込み可能な溝から構成され、
前記上部支持部材の溝は、前記下部支持部材の溝よりも深く形成されてなることを特徴とする請求項１乃至３記載のいずれかの墓。
【請求項６】
前記墓誌は、前記巻石の、前記墓石の正面側を除いた三辺に対応するように前記下部支持部材，上部支持部材及び支柱を三組備え、これら下部支持部材，上部支持部材及び支柱が、平面視コの字状となるように配置されてなることを特徴とする請求項１乃至５記載のいずれかの墓。
【請求項７】
前記墓誌は、前記下部支持部材，上部支持部材及び支柱によって囲まれた部分の空間を塞ぐように設けられる化粧板を、前記戒名プレートよりも外側に備えてなることを特徴とする請求項１乃至６記載のいずれかの墓。
【発明の詳細な説明】
【技術分野】
【０００１】
本発明は、戒名（法名）などを列記するための墓誌を備えた墓に関する。
【背景技術】
【０００２】
前記墓は、平面視矩形状をした所定領域内の周縁部に枠状に配置された巻石と、前記領域の内部に配置された墓石と、墓石の正面側に配置された水鉢，香炉及び一対の花立てと、前記領域の内部で前記墓石の傍らに配置され、亡くなられた方の戒名，没年月日，享年及び俗名などを列記するための墓誌とを少なくとも備えて構成される。
【０００３】
前記墓誌としては、従来、例えば、特開２００５−１８８２１５号公報に開示されたものが知られており、この墓誌は、直方体状に形成され、前記領域内の適宜設置面上に水平に配置される土台石と、土台石の長手方向両端部にそれぞれ立設された柱石と、土台石から間隔を隔てた上方位置に配置され、各柱石によって支持される傘石と、土台石と傘石との間に土台石の長手方向に沿って一列に整列した状態で配置され、表面に前記戒名，没年月日，享年及び俗名などが記される短冊状をした複数の戒名プレートと、長手方向が土台石の長手方向に沿うように且つ土台石の幅方向に一定間隔を隔てるように土台石の上面に設けられる直方体状をした一対の支持部材などから構成される。
【０００４】
前記傘石の下面には、各戒名プレートの上端部を差し込み可能な溝が土台石の長手方向と平行に形成される。前記各戒名プレートの下端部には、表裏に貫通した貫通孔が形成される。前記一対の支持部材は、各戒名プレートの表裏両面を挟んでこれらの下端部を支持するもので、下面に複数の突起部を備える。前記土台石の上面には、一対の支持部材の各突起部がそれぞれ挿入される複数の凹部が形成される。
【０００５】
そして、このような墓誌では、戒名プレートの表面側に配置された一方の支持部材を土台石から取り外した後、戒名プレートの貫通孔に指を入れて手前に引けば、戒名プレートを取り外すことができ、他方、戒名プレートの上端部を傘石の溝に差し込んで戒名プレートを起立状態にした後、一方の支持部材を土台石に取り付けると、傘石の溝及び一対の支持部材によって戒名プレートを固定することができる。
【０００６】
【特許文献１】特開２００５−１８８２１５号公報
【発明の開示】
【発明が解決しようとする課題】
【０００７】
ところで、前記墓誌は、上述のように、亡くなられた方の戒名，没年月日，享年及び俗名などが記されるものであり、より多くの方の戒名などを記すことができれば好ましい。しかしながら、上記従来の墓誌では、記すことのできる人数には一定の限界がある。他方、上記従来の墓誌では、これを設置するための領域が墓石の傍らに必要であり、墓全体の広さや、墓に設けられた他の構造物との関係上、あまり大きな墓誌を設けることもできない。尚、墓全体の広さは、墓を建てるための土地の問題や墓を建てるのに必要な費用の問題などから一定の制約を受けるものであり、広いスペースを確保するのは難しい。
【０００８】
また、墓は、今後、墓を建てるための土地の問題や墓を建てるのに必要な費用の問題、少子化の問題などから合祀墓が多くなるものと考えられるが、合祀墓では多くの方が祭られるため、上記従来のような墓誌では十分に対応することができない。
【０００９】
このように、上記従来の墓誌では、墓全体の広さが広くなるのを抑えつつ、戒名などを記すことが可能な人数を多くすることはできなかった。
【００１０】
本発明は、以上の実情に鑑みなされたものであって、墓全体の広さを大きくすることなく、より多くの方の戒名などを記すことが可能な墓誌を備えた墓の提供をその目的とする。
【課題を解決するための手段】
【００１１】
上記目的を達成するための本発明は、
平面視矩形状をした領域内の周縁部に枠状に配置された巻石と、前記領域の内部に配置された墓石と、前記領域の内部に配置され、少なくとも戒名が記される墓誌とからなる墓であって、
前記墓誌は、
前記巻石の四辺の内、前記墓石の正面側を除いた一辺に少なくとも対応してこれに沿うように設けられ、前記巻石の、この一辺に相当する部分上に載置される下部支持部材と、
前記下部支持部材から間隔を隔てた上方位置に、この下部支持部材と対向するように且つ前記一辺に沿うように配置される上部支持部材と、
前記一辺に沿った方向に間隔を隔てて前記巻石又は下部支持部材上に立設され、前記上部支持部材の前記一辺に沿った方向の両端部を支持する支柱と、
前記下部支持部材と上部支持部材との間に着脱自在に装着され、少なくとも戒名が記される、平板状をした戒名プレートとを備えてなり、
前記下部支持部材は、前記上部支持部材との対向面に前記戒名プレートの下端部と係合可能な保持部を、前記上部支持部材は、前記下部支持部材との対向面に前記戒名プレートの上端部と係合可能な保持部をそれぞれ備え、
前記各保持部は、前記戒名プレートとの係合関係によりこの戒名プレートを前記一辺と平行に保持するように構成されてなることを特徴とする墓に係る。
【００１２】
この墓によれば、戒名プレートの上端部を上部支持部材に係合させるとともに、戒名プレートの下端部を下部支持部材に係合させることで、戒名プレートを上部支持部材及び下部支持部材に支持，固定させることができ、一方、戒名プレートの上端部と上部支持部材との係合関係を解除するとともに、戒名プレートの下端部と下部支持部材との係合関係を解除することで、戒名プレートを上部支持部材及び下部支持部材から取り外すことができる。
【００１３】
また、墓誌を巻石上に配置したので、上記従来の墓誌のように、これを設置するための領域を墓石の傍らに設ける必要はない。また、墓に設けられた他の構造物との配置関係に影響されることなく、下部支持部材及び上部支持部材の前記一辺に沿った方向の長さを長くすることが可能であり、これらの長さを長くすることで、戒名プレートを大きくしてより多くの方の戒名を列記することができる。
【００１４】
このように、本発明に係る墓では、墓全体の広さを大きくすることなく、より多くの方の戒名を墓誌に列記することができる。また、墓を建てるための土地が広くなくても良いので、墓を建てるのにかかる費用を抑えることもできる。
【００１５】
尚、下部支持部材及び上部支持部材の前記一辺に沿った方向の長さは、巻石の、前記一辺に相当する部分の長さと必ずしも同じである必要はなく、任意に設定することができる。また、戒名は、戒名プレートの一方の面だけに記すようにしても、両面に記すようにしても良い。
【００１６】
また、前記墓誌は、複数の前記戒名プレートを備え、前記下部支持部材及び上部支持部材の各保持部は、前記複数の戒名プレートが前記一辺に沿って一列で整列可能に前記戒名プレートを保持するように構成されていても良い。このようにすれば、戒名プレート１個当たりの大きさを小さくしたり、所望の戒名プレートのみを上部支持部材及び下部支持部材に対して着脱することができるので、着脱作業の容易化を図ることができる。また、戒名が記された使用済の戒名プレートのみを取り付け、戒名が記されていない未使用の戒名プレートは取り付けないようにしても、使用済の戒名プレートと未使用の戒名プレートの両方を取り付けるようにしても良い。また、未使用の戒名プレートが傷むのを防止する観点から、未使用の戒名プレートに代えてダミーの戒名プレートを取り付けるようにしても良い。尚、前記戒名プレートには、複数人分の戒名を記すようにしても、一人の戒名のみを記すようにしても良い。
【００１７】
また、前記戒名プレートは、短冊状に形成されていても良く、このようにすれば、上部支持部材及び下部支持部材に対して戒名プレートを更に容易に着脱することができる。尚、前記戒名プレートには、一人の戒名を記すことが好ましいが、複数人分の戒名を記しても構わない。
【００１８】
また、前記上部支持部材の保持部は、上下に貫通し且つ前記一辺に沿って形成された、前記戒名プレートの上端部を差し込み可能なスリット穴から構成され、前記下部支持部材の保持部は、前記一辺に沿って形成された、前記戒名プレートの下端部を差し込み可能な溝から構成されていても良い。このようにすれば、戒名プレートの上端部を上部支持部材のスリット穴内に差し込んだ後、戒名プレートの下端部を下部支持部材の溝内に落とし込んだり、戒名プレートを上方からスリット穴内に挿入することで、戒名プレートを上部支持部材及び下部支持部材に支持，固定させることができ、一方、戒名プレートを上方に引き上げて下端部を下部支持部材の溝から出した後、戒名プレートの上端部を上部支持部材のスリット穴から引き抜いたり、戒名プレートをスリット穴から上方に引き抜くことで、戒名プレートを上部支持部材及び下部支持部材から取り外すことができる。したがって、このようにしても、容易に戒名プレートを着脱することができる。また、スリット穴内に卒塔婆を通して卒塔婆を立てるようにすれば、塔婆立てとして利用することもでき、塔婆立てを設ける必要のない分だけ低コストで墓を建てることができる。
【００１９】
また、前記上部支持部材の保持部は、前記一辺に沿って形成された、前記戒名プレートの上端部を差し込み可能な溝から構成され、前記下部支持部材の保持部は、前記一辺に沿って形成された、前記戒名プレートの下端部を差し込み可能な溝から構成され、前記上部支持部材の溝は、前記下部支持部材の溝よりも深く形成されていても良い。このようにしても、上記と同様、容易に戒名プレートを着脱することができる。即ち、戒名プレートの上端部を上部支持部材の溝内に差し込んだ後、戒名プレートの下端部を下部支持部材の溝内に落とし込めば、戒名プレートを装着することができ、一方、戒名プレートを上方に引き上げて下端部を下部支持部材の溝から出した後、戒名プレートの上端部を上部支持部材の溝から引き抜けば、戒名プレートを取り出すことができる。
【００２０】
また、前記墓誌は、前記巻石の、前記墓石の正面側を除いた三辺に対応するように前記下部支持部材，上部支持部材及び支柱を三組備え、これら下部支持部材，上部支持部材及び支柱が、平面視コの字状となるように配置されていても良い。このようにすれば、更に多くの方の戒名を墓誌に列記することができる。この場合において、三組の下部支持部材，上部支持部材及び支柱を一体的に設けるようにすれば、それぞれ単独で設けたときよりも転倒し難くすることができる。
【００２１】
また、前記墓誌は、前記下部支持部材，上部支持部材及び支柱によって囲まれた部分の空間を塞ぐように設けられる化粧板を、前記戒名プレートよりも外側に備えていても良い。このようにすれば、隣接する戒名プレート間に生じる上下方向の筋目や、戒名プレートが取り付けられていない部分に生じる隙間が外側から見えるのを防止することができるなど、外観を美しくすることができる。
【発明の効果】
【００２２】
以上のように、本発明に係る墓によれば、墓誌を巻石上に設けたので、墓全体の広さを大きくすることなく、より多くの方の戒名を墓誌に列記することができる。また、墓を建てるための土地が広くなくても良いので、墓を建てるのにかかる費用を抑えることもできる。
【発明を実施するための最良の形態】
【００２３】
以下、本発明の具体的な実施形態について、添付図面に基づき説明する。尚、図１は、本発明の一実施形態に係る墓の概略構成を示した斜視図であり、図２は、本実施形態に係る墓の平面図であり、図３は、図２における矢示Ａ−Ａ方向の断面図である。
【００２４】
図１乃至図３に示すように、本例の墓１は、平面視矩形状をした所定領域内の周縁部に枠状に配置された巻石１１と、前記領域の略中央部に配置された墓石１２と、墓石１２の正面側に配置された水鉢１３，香炉１４及び一対の花立て１５と、墓石１２の正面側に敷かれた拝石１６と、巻石１１と墓石１２及び拝石１６との間に敷かれた敷石１７と、巻石１１上に設置され、戒名などを列記するための墓誌２０とを主な構成として備える。
【００２５】
前記巻石１１は、前記領域の４隅部に配置された４つの第１部材１１ａと、前記領域の４辺に対応するように第１部材１１ａ間に配置された４つの第２部材１１ｂと、前記領域の、墓石１２の正面側を除いた三辺に対応するように設けられ、第１部材１１ａ及び第２部材１１ｂ上に載置された３つの第３部材１１ｃなどから構成されており、隣接する墓１との境界を明確にしたり、前記領域内部に水が流れ込むのを防止する役割を果たす。尚、墓石１２の正面側に配置された第２部材１１ｂには、階段１１ｂｂが形成され、この部分が前記領域内部への入口となっている。また、４つの第１部材１１ａの内、墓石１２の正面側に配置された２つの第１部材１１ａ及び第３部材１１ｃの上面は、敷石１７（即ち、巻石１１によって囲まれた内部領域）の上面と同一高さ又は敷石１７よりも低い高さに設定されている。
【００２６】
前記墓誌２０は、直方体状に形成され、巻石１１の第１部材１１ａや第３部材１１ｃ上に載置される下部支持部材２１と、直方体状に形成され、下部支持部材２１から間隔を隔てた上方位置に、長手方向が下部支持部材２１の長手方向と平行に且つ下部支持部材２１と対向するように配置される上部支持部材２２と、上部支持部材２２の長手方向に間隔を隔てるように巻石１１の第１部材１１ａや第３部材１１ｃ上に立設され、この上部支持部材２２の長手方向両端部を支持する支柱２３と、短冊状に形成され、下部支持部材２１及び上部支持部材２２との間に着脱自在に装着される複数の戒名プレート２４と、下部支持部材２１及び上部支持部材２２によって支持された化粧板２５と、上部支持部材２２上に載置された屋根部材２６とからなる。
【００２７】
前記戒名プレート２４は、例えば、亡くなられた方の戒名，没年月日，享年及び俗名などを表面に記すためのもので、下部支持部材２１及び上部支持部材２２の長手方向に沿って一列に整列した状態で且つ起立状態で隙間なく配置される。尚、符号２４ａは、戒名などが記された使用済の戒名プレートを示し、符号２４ｂは、戒名などが記されていない未使用の戒名プレートを示している。尚、未使用の戒名プレート２４ｂが傷むのを防止する観点から、未使用の戒名プレート２４ｂに代えてダミーの戒名プレート２４を取り付けるようにしても良い。
【００２８】
前記下部支持部材２１及び上部支持部材２２には、その長手方向と平行な溝２１ａ，２１ｂ，２２ａ，２２ｂが幅方向に間隔を隔てて２つそれぞれ形成されている。墓石１２側の溝２１ａ，２２ａは、戒名プレート２４を保持する保持部として機能するものであり、各戒名プレート２４の上端部及び下端部を差し込み可能に構成されている。また、上部支持部材２２の溝２２ａは、下部支持部材２１の溝２１ａよりも深く形成されており、各戒名プレート２４は、ケンドン式と呼ばれる取り付け手法で取り付けられる、即ち、まず、上端部を上部支持部材２２の溝２２ａ内に差し込んだ後、下端部を下部支持部材２１の溝２１ａ内に落とし込むことで、上端部と溝２２ａとの係合関係及び下端部と溝２１ａとの係合関係により上部支持部材２２及び下部支持部材２１に支持，固定される。
【００２９】
また、前記下部支持部材２１は、その幅方向の全面に渡って第１部材１１ａや第３部材１１ｃの上面と一定間隔を隔てるように形成された凹部２１ｃと、上下に貫通して、上端部が溝２１ａの底部に開口し、下端部が凹部２１ｃの表面に開口した貫通孔２１ｄと、上下に貫通して、上端部が溝２１ｂの底部に開口し、下端部が凹部２１ｃの表面に開口した貫通孔２１ｅとを備える。前記凹部２１ｃは、下部支持部材２１の長手方向両端部間に形成される。前記貫通孔２１ｄ，２１ｅは、それぞれ一つずつしか形成されていなくても、下部支持部材２１の長手方向に沿って一定間隔で複数形成されていても良く、また、スリット穴から構成されていても良い。
【００３０】
前記下部支持部材２１，上部支持部材２２，支柱２３，化粧板２５及び屋根部材２６は、巻石１１の、墓石１２の正面側を除いた三辺に対応するように複数組設けられる。墓石１２の正面右側に配置された下部支持部材２１及び上部支持部材２２は、その長手方向が巻石１１の、墓石１２の正面右側の一辺に沿うように、墓石１２の正面左側に配置された下部支持部材２１及び上部支持部材２２は、その長手方向が巻石１１の、墓石１２の正面左側の一辺に沿うように、墓石１２の背面側に配置された下部支持部材２１及び上部支持部材２２は、その長手方向が巻石１１の、墓石１２の背面側の一辺に沿うように、それぞれ配置される。また、前記支柱２３は、巻石１１の四隅部及び墓石１２の左右両側の各辺中央部とに配置される。
【００３１】
尚、巻石１１の、墓石１２の背面側の一辺両端部側に配置された支柱２３には、墓石１２の左右両側に配置された下部支持部材２１及び上部支持部材２２と、墓石１２の背面側に配置された下部支持部材２１及び上部支持部材２２とが接続されて、下部支持部材２１，上部支持部材２２，支柱２３，化粧板２５及び屋根部材２６が平面視コの字状となるように一体的に構成されている。
【００３２】
前記化粧板２５は、下部支持部材２１，上部支持部材２２及び支柱２３によって囲まれた部分の空間を塞ぐように設けられるもので、下端部及び上端部が下部支持部材２１及び上部支持部材２２の溝２１ｂ，２２ｂ内にそれぞれ差し込まれて支持，固定される。
【００３３】
以上のように構成された本例の墓１によれば、戒名プレート２４の上端部を上部支持部材２２の溝２２ａ内に差し込んだ後、戒名プレート２４の下端部を下部支持部材２１の溝２１ａ内に落とし込むことで、戒名プレート２４を上部支持部材２２及び下部支持部材２１に支持，固定させることができ、一方、戒名プレート２４を上方に引き上げて下端部を下部支持部材２１の溝２１ａから出した後、戒名プレート２４の上端部を上部支持部材２２の溝２２ａから引き抜くことで、戒名プレート２４を上部支持部材２２及び下部支持部材２１から取り外すことができる。
【００３４】
また、墓誌２０を巻石１１上に配置したので、上記従来の墓誌のように、これを設置するための領域を墓石１２の傍らに設ける必要はない。また、墓１に設けられた他の構造物との配置関係に影響されることなく、下部支持部材２１及び上部支持部材２１の長手方向の長さを長くすることが可能であり、これらの長さを長くすることで、取付可能な戒名プレート２４の数を多くすることができる。
【００３５】
したがって、本例の墓１では、その全体の広さを大きくすることなく、より多くの数の戒名プレート２４を墓誌２０に取り付けることができる。また、墓１を建てるための土地が広くなくても良いので、墓１を建てるのにかかる費用を抑えることもできる。また、所望の戒名プレート２４のみを上部支持部材２２及び下部支持部材２１に対して着脱することができ、着脱作業を容易に行うことができる。
【００３６】
また、下部支持部材２１，上部支持部材２２，支柱２３，化粧板２５及び屋根部材２６が平面視コの字状となるように一体的に構成したので、強度を高めたり、転倒し難くすることができる。また、戒名プレート２４の奥側に化粧板２５を設けたので、隣接する戒名プレート２４間に生じる上下方向の筋目が外側から見えるのを防止し、外観を美しくすることができる。また、下部支持部材２１，上部支持部材２２，支柱２３，化粧板２５及び屋根部材２６を平面視コの字状に配置したことから墓誌２０を玉垣として用いることもでき、装飾効果をより高めたり、玉垣を設ける必要のない分だけ低コストで墓１を建てることができたり、隣接する墓１との境界をより明確にすることができる。
【００３７】
また、一部の第１部材１１ａ及び第３部材１１ｃの上面の高さを敷石１７と同じ高さ又は敷石１７よりも低い高さに設定するとともに、下部支持部材２１に凹部２１ｃを形成したので、雨水などを、階段１１ｂｂ側からだけでなく、第１部材１１ａや第３部材１１ｃの上面と凹部２１ｃとの間の隙間からも外部に排出することができ、効率的に排水することができる。また、墓誌２０によって囲まれた内部領域内に雨水などが溜まるのを効果的に防止することができる。
【００３８】
また、下部支持部材２１に貫通孔２１ｄ，２１ｅを形成したので、この貫通孔２１ｄ，２１ｅにより雨水などを排出することができ、溝２１ａ，２１ｂ内に雨水などが溜まるのを防止することができる。
【００３９】
以上、本発明の一実施形態について説明したが、本発明の採り得る具体的な態様は、何らこれに限定されるものではない。
【００４０】
上例では、未使用の戒名プレート２４ｂも下部支持部材２１及び上部支持部材２２に取り付けるようにしたが、未使用の戒名プレート２４ｂが傷むのを防止するために、図４に示すように、使用済の戒名プレート２４ａのみを取り付けるようにしても良い。この場合、戒名プレート２４ａが設けられていない部分に隙間を生じるが、この隙間が化粧板２５によって外部から視認されることはなく、美観が損なわれることはない。尚、図４は、本発明の他の実施形態に係る墓の概略構成を示した斜視図である。
【００４１】
また、図５及び図６に示すように、上部支持部材２２の上面から溝２２ａ内に貫通し、上部支持部材２２の長手方向と平行なスリット穴２２ｃを上部支持部材２２に形成するとともに、このスリット穴２２ｃと連通し、上下に貫通するスリット穴２６ａを屋根部材２６に形成するようにしても良い。このようにすれば、スリット穴２２ｃ，２６ａ内に卒塔婆３０を通し、卒塔婆３０の下端部を下部支持部材２１の溝２１ａ内に挿入することで、卒塔婆３０を立てることができ、墓誌２０を塔婆立てとしても用いることができる。これにより、塔婆立てを設ける必要のない分だけより低コストで墓１を建てることができる。また、図７に示すように、屋根部材２６にはスリット穴２６ａを形成せず、上部支持部材２２にのみスリット穴２２ｃを形成して、卒塔婆３０を立てる際には、屋根部材２６を取り外すようにしても良い。尚、スリット穴２２ｃ，２６ａは、少なくとも一つ形成されていれば良く、複数形成する場合には、上部支持部材２２の長手方向に沿って一定間隔で形成する。また、図５は、本発明の他の実施形態に係る墓の概略構成を示した斜視図であり、図６は、図５における矢示Ｂ−Ｂ方向の断面図であり、図７は、本発明の他の実施形態に係る上部支持部材及び屋根部材などの概略構成を示した断面図である。
【００４２】
また、図８及び図９に示すように、化粧板２５を省略して構成しても良い。この場合、下部支持部材２１及び上部支持部材２２は、溝２１ｂ，２２ｂ及び貫通孔２１ｅが省略されて、溝２１ａ，２２ａ及び貫通孔２１ｄが幅方向の中央部に形成される。尚、図８は、本発明の他の実施形態に係る墓の概略構成を示した斜視図であり、図９は、図８における矢示Ｃ−Ｃ方向の断面図である。
【００４３】
また、この場合においても、未使用の戒名プレート２４ｂを取り付けずに使用済の戒名プレート２４ａのみを取り付けるようにしたり、未使用の戒名プレート２４ｂに代えてダミーの戒名プレート２４を取り付けるようにしても良い。
【００４４】
また、特に図示はしないが、上部支持部材２２には、溝２２ａに代えて、上下に貫通し且つ上部支持部材２２の長手方向と平行であり、戒名プレート２４の上端部を差し込み可能なスリット穴を形成するようにしても良い。この場合、戒名プレート２４を着脱するに当たっては、戒名プレート２４を上方からスリット穴内に挿入することで戒名プレート２４を装着し、戒名プレート２４をスリット穴から上方に引き抜くことで戒名プレート２４を外すようにしても良い。
【００４５】
また、図１０に示すように、上部支持部材２２は、一部材から構成するのではなく、一定間隔を隔てて対峙した２部材から構成し、これらの部材間にスリット穴２２ｄを形成するようにしても良い。尚、図１０は、本発明の他の実施形態に係る上部支持部材，支柱及び戒名プレートなどの概略構成を示した断面図である。
【００４６】
また、戒名プレート２４には、一人の戒名などを記すことが好ましいが、複数人分の戒名などを記しても構わない。また、戒名プレート２４の表面だけに戒名などを記すようにしても、両面に記すようにしても良い。また、戒名プレート２４は、短冊状ではなく、複数人分の戒名などを列記することが可能な平板状のものから構成しても良い。また、支柱２３は、巻石１１上ではなく、下部支持部材２１上に立設されるように構成しても良い。
【図面の簡単な説明】
【００４７】
【図１】本発明の一実施形態に係る墓の概略構成を示した斜視図である。
【図２】本実施形態に係る墓の平面図である。
【図３】図２における矢示Ａ−Ａ方向の断面図である。
【図４】本発明の他の実施形態に係る墓の概略構成を示した斜視図である。
【図５】本発明の他の実施形態に係る墓の概略構成を示した斜視図である。
【図６】図５における矢示Ｂ−Ｂ方向の断面図である。
【図７】本発明の他の実施形態に係る上部支持部材及び屋根部材などの概略構成を示した断面図である。
【図８】本発明の他の実施形態に係る墓の概略構成を示した斜視図である。
【図９】図８における矢示Ｃ−Ｃ方向の断面図である。
【図１０】本発明の他の実施形態に係る上部支持部材，支柱及び戒名プレートなどの概略構成を示した断面図である。
【符号の説明】
【００４８】
１    墓
１１  巻石
１２  墓石
１３  水鉢
１４  香炉
１５  花立て
１６  拝石
１７  敷石
２０  墓誌
２１  下部支持部材
２１ａ，２１ｂ  溝
２２  上部支持部材
２２ａ，２２ｂ  溝
２３  支柱
２４  戒名プレート
２５  化粧板
２６  屋根部材
【図１】
2008190140.tif 000003
【図２】
2008190140.tif 000004
【図３】
2008190140.tif 000005
【図４】
2008190140.tif 000006
【図５】
2008190140.tif 000007
【図６】
2008190140.tif 000008
【図７】
2008190140.tif 000009
【図８】
2008190140.tif 000010
【図９】
2008190140.tif 000011
【図１０】
2008190140.tif 000012